(57)【要約】【課題】自動車で夜間灯は赤でありブレーキランプも赤であるので１瞬わき見して前を見た時、夜間灯であるかブレーキランプであるか判断が出来ない時がある。【解決手段】自動車の後部の任意の所にブレーキペダルを踏むとブレーキを踏んでいる事が感じられる文字を点灯させて後方車に文字で知らせる。【選択図】図１
2009214867.tif 000002
【特許請求の範囲】
【請求項１】
自動車の後部の任意の所にブレーキペダルを踏むとブレーキ又はブレーキの意味に感じる文字又はストップ又はストップの意味に感じる文字を点灯される事を特徴とした後方車に文字で知らせる信号機。
【請求項２】
ブレーキ又はブレーキの意味に感じる文字又はストップ又はストップの意味に感じる文字を任意の国の文字に替えて文字を点灯させる事を特徴とした請求項１、記載の後方車に文字で知らせる信号機。
【請求項３】
ブレーキペダルを踏むとその国の文字と他の何個国かの文字が任意の間隔により交互に点灯される事を特徴とした請求項１、２記載の後方車に文字で知せる信号機。
【請求項４】
文字欄を複数設けて１つはその国の文字で点灯し、他欄は何個国かの各各の国の文字を任意の時の間隔を設けて順番に文字が点灯される事を特徴とした請求項１、２、３記載の後方車に文字で知らせる信号機。
【請求項５】
任意の文字欄に任意の国の文字で任意の時の間隔を設けて点灯させる事を特徴とした請求項１、２、３、４記載の後方車に文字で知らせる信号機。
【請求項６】
ブレーキ又はブレーキの意味に感じる文字又はストップ又はストットの意味に感じる文字を点滅させる事を特徴とした請求項１、２、３、４、５記載の後方車に文字で知らせる信号機。
【請求項７】
ブレーキ又はブレーキの意味に感じる文字又はストップ又はストップの意味に感じる文字を順次点灯する事を特徴とした請求項１、２、３、４、５記載の後方車に文字で知らせる信号機。
【請求項８】
ブレーキ又はブレーキの意味に感じる文字又はストップ又はストップの意味に感じる文字を順次点滅する事を特徴とした請求項１、２、３、４、５、６、７記載の後方車に文字で知らせる信号機。
【請求項９】
ブレーキ又はブレーキの意味に感じる文字又はストップ又はストップの意味に感じる文字を縦及び斜めにした事を特徴とした請求項１、２、３、４、５、６、７、８記載の後方車に文字で知らせる信号機。
【請求項１０】
自動車の後部の任意の所にブレーキペダルを踏むと任意の文字を点灯させてブレーキペダルを踏んでいる事を後方車の運転者が感じられる文字で知らせる事を特徴とした後方車に文字で知らせる信号機。
【請求項１１】
文字を任意の国の文字に替えて文字を点灯させる事を特徴とした請求項１０記載の後方車に文字で知らせる信号機。
【請求項１２】
ブレーキペダルを踏むとその国の文字と他の何個国かの文字が任意の間隔により交互に点灯される事を特徴とした請求項１０、１１記載の後方車に文字で知らせる信号機。
【請求項１３】
文字欄を複数設けて１つはその国の文字で点灯し、他欄は何個国かの各各の国の文字を任意の時の間隔を設けて順番に文字が点灯される事を特徴とした請求項１０、１１、１２、記載の後方車に文字で知らせる信号機。
【請求項１４】
任意の文字欄に任意の国の文字で任意の時の間隔を設けて点灯させる事を特徴とした請求項１０、１１、１２、１３、記載の後方車に文字で知せる信号機。
【請求項１５】
ブレーキ又はブレーキの意味に感じる文字又はストップ又はストップの意味に感じる文字を順次点灯する事を特徴とした請求項１０、１１、１２、１３、１４、記載の後方車に文字で知らせる信号機。
【請求項１６】
ブレーキ又はブレーキの意味に感じる文字又はストップ又はストップの意味に感じる文字を縦及び斜めにした事を特徴とした請求項１０、１１、１２、１３、１４、１５記載の後方車に文字で知らせる信号機。
【請求項１７】
ブレーキペダルを踏んでいる事を後方車に文字で知らせる表現方法が任意の時の間隔を設けて変わる事を特徴とした請求項１、２、３、４、５、６、７、８、９、１０、１１、１２、１３、１４、１５、１６、記載の後方車に文字で知らせる信号機。
【請求項１８】
文字を横及び曲列に並べた事を特徴とした請求項１、２、３、４、５、６、７、８、９、１０、１１、１２、１３、１４、１５、１６、１７、記載の後方車に文字で知らせる信号機。
【発明の詳細な説明】
【技術分野】
【０００１】自動車のブレーキペダルを踏むと後方車に自動車のスピードを落している事に知らせる手段に関する事である。
【背景技術】
【０００２】ブレーキペダルを踏むと自動車のブレーキランプが点灯していた。
【発明の開示】
【発明が解決しようとする課題】
【０００３】夜等、自動車の夜間灯は赤でありブレーキランプも赤であるので１瞬わき見して前を見ると前車の夜間灯の赤だかブレーキランプの赤だか分らないので即判断出来るようにする
【課題を解決するための手段】
【０００４】ブレーキペダルを踏むと自動車の後部の任意の所にブレーキ又はブレーキ中又はブレーキ踏む又は、制動中又は、制動又は、接っするな又は、近ずくな又は、ノーキス又は危ない又は、ノーでね又は、ぶつからないでね又は、追突しないでね又はオカマ掘らないでね又は、当たらないでね又は、さわっちゃだめよ又は、ふれちゃだめよ又は、タッチしちゃだめよ又は、当っちゃだめよ又は、ブレーキペダル踏んでいるよ又は、ブレーキ踏んでいるよ又は、はかいしちゃだめよ又は、減速しているよ又は、こわしちゃいやよ又は、はかいしちゃいやよ又は、接っしちゃいやよ又は、接触しちゃいやよ又は、オカマ掘っちゃいやよ又は、当っちゃいやよ又は、ぶつかっちゃいやよ又は、追突しちゃいやよ又は、ふれちゃいやよ又は、タッチしちゃいやよ又は、キスしちゃいやよ又は、さわっちゃいやよ又は、はかいしないでね又は、はかいしちゃだめよ又は、こわさないでね又は、こわしちゃだめよ又は、接っしないでね又は、接触しないでね又は、はそんさせちゃだめよ又は、はそんさせちゃいやよ又は、追突しちゃだめよ又は、ぶつかっちゃだめよ又は、接触しちゃだめよ又は、はそんさせないでね又は、オカマ掘っちゃだめよ又は、タッチ又は、赤ちゃん寝てます又は、ベェビー寝てます又はＢａｂｙ寝てます又はストップ又は、減速中又はペダル踏む又は、止まれ又は、ふれるな又は、さわるな又は、ブレーキペダル踏む又は止まるよ又は、スピードダウン又は、キスしちゃだめよ又は、追突するな又は、ぶつかるな又は御注意ランプ又は御注意灯又は御注意して下さい又は、御注意又は、減走ランプ又は、減走灯又は、回転減灯又は、注意１秒けが１生又は、回転落している又は、回転減ランプ又は、ゆっくりランプ又は、のんびりランプ又はスピード落す又は、おそいランプ又は、スピード減灯又は、制動灯又は、減速灯又は、制動ランプ又は、減速ランプ又は、赤ランプ又は、ブレーキ灯又は、ブレーキランプ又は止まれランプ又は、ブレーキランタン又は、エンジンブレーキ又はブレーキ赤灯又はブレーキ点灯又は排気ブレーキ又は、油圧ブレーキ又は、エアブレーキ又は、液体ブレーキキスしないでね又は、さわらないでね又はふれないでね又はタッチしない接っしちゃだめよ又は、減速中ですよ又は、スピード落としてますよ又は、ブレーキ踏んでますよ又は、止まりそうですよ又は、止まりますよ又は、減速してますよ、等の上記のような文字を点灯させる。
【発明の効果】
【０００５】前自動車の状況が文字により発信するので後方の自動車の運転者がすぐに判断ができるので後方の自動車の運転者がブレーキペダルを踏むのが遅くならない。
【発明を実施するための最良の形態】
【０００６】日本等は、自動車のブレーキペダルを踏むとその自動車の後部の上部又は側部又は中部あたりにブレーキの文字を赤色で点灯すれば良いと思う。
【実施例】
【０００７】文字は、発光ダイオード、液晶、赤レーザー、プラズマ発光、有機ＥＬ、ガラス又は透明な材質の中に色電球を文字の形にして入れたもの、又は透明な材質の内側に文字の形をした色フィルムを設けてその内側に光源を設けるもの又は透明な材質の中に色電球を点在させて文字の形にしたもの、色電球又は色フィルムは何色でも良いと思いますが赤色が良いと思う。文字列は横、縦、斜め、曲線がある。
【産業上の利用分野】
【０００８】自動車産業
【図面の簡単な説明】
【０００９】
【図１】文字がブレーキの自動車の後姿
【図２】文字がブレーキ中の自動車の後姿
【図３】文字がブレーキ踏むの自動車の後姿
【図４】文字が制動の自動車の後姿
【図５】文字が制動中の自動車の後姿
【図６】文字が接っするなの自動車の後姿
【図７】文字が近ずくなの自動車の後姿
【図８】文字がノーキスの自動車の後姿
【図９】文字が危ないの自動車の後姿。
【図１０】文字がノータッチの自動車の後姿。
【図１１】文字が赤ちゃん寝てますの自動車の後姿。
【図１２】文字がベェイビー寝てますの自動車の後姿。
【図１３】文字がＢａｂｙ寝てますの自動車の後姿。
【図１４】文字がストップの自動車の後姿。
【図１５】文字が減速中の自動車の後姿。
【図１６】文字がペダル踏むの自動車の後姿。
【図１７】文字が止まれの自動車の後姿。
【図１８】文字がふれるなの自動車の後姿。
【図１９】文字がさわるなの自動車の後姿。
【図２０】文字がブレーキペタル踏むの自動車の後姿。
【図２１】文字が止まるよの自動車の後姿。
【図２２】文字がスピードダウンの自動車の後姿。
【図２３】文字がキスしちゃだめよの自動車の後姿。
【図２４】文字が追突するなの自動車の後姿。
【図２５】文字がぶつかるなの自動車の後姿。
【図２６】文字が御注意ランプの自動車の後姿。
【図２７】文字が御注意灯の自動車の後姿。
【図２８】文字が御注意して下さいの自動車の後姿。
【図２９】文字が御注意の自動車の後姿。
【図３０】文字が減走ランプの自動車の後姿。
【図３１】文字が減走灯の自動車の後姿。
【図３２】文字が回転減灯の自動車の後姿。
【図３３】文字が注意１秒けが１生の自動車の後姿。
【図３４】文字が回転落しているの自動車の後姿。
【図３５】文字が回転減ランプの自動車の後姿。
【図３６】文字がゆっくりランプの自動車の後姿。
【図３７】文字がのんびりランプの自動車の後姿。
【図３８】文字がスピード落すの自動車の後姿。
【図３９】文字がおそいランプの自動車の後姿。
【図４０】文字がスピード減ランプの自動車の後姿。
【図４１】文字がスピード減灯の自動車の後姿。
【図４２】文字が制動灯の自動車の後姿。
【図４３】文字が減速灯の自動車の後姿。
【図４４】文字が制動ランプの自動車の後姿。
【図４５】文字が減速ランプの自動車の後姿。
【図４６】文字が赤ランプの自動車の後姿。
【図４７】文字がブレーキ灯の自動車の後姿。
【図４８】文字がブレーキランプの自動車の後姿。
【図４９】文字が止まるランプの自動車の後姿。
【図５０】文字がブレーキランタンの自動車の後姿。
【図５１】文字がエンジンブレーキの自動車の後姿。
【図５２】文字がブレーキ赤灯の自動車の後姿。
【図５３】文字がブレーキ点灯の自動車の後姿。
【図５４】文字が排気ブレーキの自動車の後姿。
【図５５】文字が油圧ブレーキの自動車の後姿。
【図５６】文字がエアブレーキの自動車の後姿。
【図５７】文字が流体ブレーキの自動車の後姿。
【図５８】文字がキスしないでねの自動車の後姿。
【図５９】文字がさわらないでねの自動車の後姿。
【図６０】文字がふれないでねの自動車の後姿。
【図６１】文字がタッチしないでねの自動車の後姿。
【図６２】文字がぶつからないでねの自動車の後姿。
【図６３】文字が追突しないでねの自動車の後姿。
【図６４】文字がオカマ掘らないでねの自動車の後姿。
【図６５】文字が当らないでねの自動車の後姿。
【図６６】文字がさわっちゃだめよの自動車の後姿。
【図６７】文字がふれちゃだめよの自動車の後姿。
【図６８】文字がタッチしちゃだめよの自動車の後姿。
【図６９】文字が当っちゃだめよの自動車の後姿。
【図７０】文字がブレーキペダル踏んでいるよの自動車の後姿。
【図７１】文字がブレーキ踏んでいるよの自動車の後姿。
【図７２】文字がはかいしちゃいやよの自動車の後姿。
【図７３】文字が減速しているよの自動車の後姿。
【図７４】文字がこわしちゃいやよの自動車の後姿。
【図７５】文字がはかいしちゃいやよの自動車の後姿。
【図７６】文字が接っしちゃいやよの自動車の後姿。
【図７７】文字が接触しちゃいやよの自動車の後姿。
【図７８】文字がオカマ掘っちゃいやよの自動車の後姿。
【図７９】文字が当たっちゃいやよの自動車の後姿。
【図８０】文字がぶつかっちゃいやよの自動車の後姿。
【図８１】文字が追突しちゃいやよの自動車の後姿。
【図８２】文字がふれちゃいやよの自動車の後姿。
【図８３】文字がタッチしちゃいやよの自動車の後姿
【図８４】文字がキスしちゃいやよの自動車の後姿。
【図８５】文字がさわっちゃいやよの自動車の後姿。
【図８６】文字がはかいしないでねの自動車の後姿。
【図８７】文字がはかいしちゃだめよの自動車の後姿。
【図８８】文字がこわさないでねの自動車の後姿。
【図８９】文字がこわしちゃだめよの自動車の後姿。
【図９０】文字が接っしないでねの自動車の後姿。
【図９１】文字が接触しないでねの自動車の後姿。
【図９２】文字がはそんさせちゃだめよの自動車の後姿。
【図９３】文字がはそんさせちゃいやよの自動車の後姿。
【図９４】文字が追突しちゃだめよの自動車の後姿。
【図９５】文字がぶつかっちゃだめよの自動車の後姿。
【図９６】文字が接触しちゃだめよの自動車の後姿。
【図９７】文字がはそんさせないでねの自動車の後姿。
【図９８】文字がオカマ掘っちゃだめよの自動車の後姿。
【図９９】文字が接っしちゃだめよの自動車の後姿。
【図１００】文字がブレーキ踏んでますよの自動車の後姿。
【図１０１】文字が止まりそうですの自動車の後姿。
【図１０２】文字が止まりますよの自動車の後姿。
【図１０３】文字が減速してますよの自動車の後姿。
【図１０４】文字が減速中ですよの自動車の後姿。
【図１０５】文字がスピード落してますよの自動車の後姿。
【符号の説明】
【００１０】自動車の後タイヤ    １、２、３、４、５、６  ７、８、９、１０、１１、１２、１３、１４、１５、１６、１７、１８  １９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３  ５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５
【図１】
2009214867.tif 000003
【図２】
2009214867.tif 000004
【図３】
2009214867.tif 000005
【図４】
2009214867.tif 000006
【図５】
2009214867.tif 000007
【図６】
2009214867.tif 000008
【図７】
2009214867.tif 000009
【図８】
2009214867.tif 000010
【図９】
2009214867.tif 000011
【図１０】
2009214867.tif 000012
【図１１】
2009214867.tif 000013
【図１２】
2009214867.tif 000014
【図１３】
2009214867.tif 000015
【図１４】
2009214867.tif 000016
【図１５】
2009214867.tif 000017
【図１６】
2009214867.tif 000018
【図１７】
2009214867.tif 000019
【図１８】
2009214867.tif 000020
【図１９】
2009214867.tif 000021
【図２０】
2009214867.tif 000022
【図２１】
2009214867.tif 000023
【図２２】
2009214867.tif 000024
【図２３】
2009214867.tif 000025
【図２４】
2009214867.tif 000026
【図２５】
2009214867.tif 000027
【図２６】
2009214867.tif 000028
【図２７】
2009214867.tif 000029
【図２８】
2009214867.tif 000030
【図２９】
2009214867.tif 000031
【図３０】
2009214867.tif 000032
【図３１】
2009214867.tif 000033
【図３２】
2009214867.tif 000034
【図３３】
2009214867.tif 000035
【図３４】
2009214867.tif 000036
【図３５】
2009214867.tif 000037
【図３６】
2009214867.tif 000038
【図３７】
2009214867.tif 000039
【図３８】
2009214867.tif 000040
【図３９】
2009214867.tif 000041
【図４０】
2009214867.tif 000042
【図４１】
2009214867.tif 000043
【図４２】
2009214867.tif 000044
【図４３】
2009214867.tif 000045
【図４４】
2009214867.tif 000046
【図４５】
2009214867.tif 000047
【図４６】
2009214867.tif 000048
【図４７】
2009214867.tif 000049
【図４８】
2009214867.tif 000050
【図４９】
2009214867.tif 000051
【図５０】
2009214867.tif 000052
【図５１】
2009214867.tif 000053
【図５２】
2009214867.tif 000054
【図５３】
2009214867.tif 000055
【図５４】
2009214867.tif 000056
【図５５】
2009214867.tif 000057
【図５６】
2009214867.tif 000058
【図５７】
2009214867.tif 000059
【図５８】
2009214867.tif 000060
【図５９】
2009214867.tif 000061
【図６０】
2009214867.tif 000062
【図６１】
2009214867.tif 000063
【図６２】
2009214867.tif 000064
【図６３】
2009214867.tif 000065
【図６４】
2009214867.tif 000066
【図６５】
2009214867.tif 000067
【図６６】
2009214867.tif 000068
【図６７】
2009214867.tif 000069
【図６８】
2009214867.tif 000070
【図６９】
2009214867.tif 000071
【図７０】
2009214867.tif 000072
【図７１】
2009214867.tif 000073
【図７２】
2009214867.tif 000074
【図７３】
2009214867.tif 000075
【図７４】
2009214867.tif 000076
【図７５】
2009214867.tif 000077
【図７６】
2009214867.tif 000078
【図７７】
2009214867.tif 000079
【図７８】
2009214867.tif 000080
【図７９】
2009214867.tif 000081
【図８０】
2009214867.tif 000082
【図８１】
2009214867.tif 000083
【図８２】
2009214867.tif 000084
【図８３】
2009214867.tif 000085
【図８４】
2009214867.tif 000086
【図８５】
2009214867.tif 000087
【図８６】
2009214867.tif 000088
【図８７】
2009214867.tif 000089
【図８８】
2009214867.tif 000090
【図８９】
2009214867.tif 000091
【図９０】
2009214867.tif 000092
【図９１】
2009214867.tif 000093
【図９２】
2009214867.tif 000094
【図９３】
2009214867.tif 000095
【図９４】
2009214867.tif 000096
【図９５】
2009214867.tif 000097
【図９６】
2009214867.tif 000098
【図９７】
2009214867.tif 000099
【図９８】
2009214867.tif 000100
【図９９】
2009214867.tif 000101
【図１００】
2009214867.tif 000102
【図１０１】
2009214867.tif 000103
【図１０２】
2009214867.tif 000104
【図１０３】
2009214867.tif 000105
【図１０４】
2009214867.tif 000106
【図１０５】
2009214867.tif 000107